(57)【要約】【課題】不安定な検証信号でも正確に検証動作を行うことができ適切に電源遮断回路の検証を行う遮断回路検証装置を得る。【解決手段】遮断信号および検証信号を外部入力信号として入力する外部入力端子ｔ１と、外部入力信号を電源遮断回路４０が出力する応答信号が到来するまでの第１の時間ＴＲより長くかつ電源遮断回路４０が遮断動作を開始するまでの第２の時間ＴＢより短い時間保持して検証中保持信号として出力する信号保持部１１と、外部入力信号と検証中保持信号とを入力して、オア論理により合成する信号合成部１２と、応答信号を受け取ったときに遮断回路が正常と判定しそうでないときに異常と判定する判定部２２とを備えている。【選択図】        図２
2008077597.tif 000002
【特許請求の範囲】
【請求項１】
対象機器に電力を供給するとともに外部から遮断信号が入力された際に前記対象機器への電力の供給を停止する電源遮断回路に対して、当該電源遮断回路の回路動作を検証信号を入力することにより検証をする遮断回路検証装置であって、
遮断信号および検証信号を外部入力信号として入力する外部入力端子と、
前記外部入力信号を、前記電源遮断回路が応答動作により出力する応答信号が到来するまでの第１の時間より長くかつ前記電源遮断回路が遮断動作を開始するまでの第２の時間より短い時間保持して検証中保持信号として出力する信号保持部と、
前記外部入力信号と前記検証中保持信号とを入力して、オア論理により合成して、前記電源遮断回路に出力する信号合成部と、
前記応答信号のレスポンスを待ち、所定の時間内に前記応答信号を受け取ったときに前記遮断回路が正常と判定し、所定の時間経過しても前記応答信号を受け取れないときに前記遮断回路が異常と判定する判定部と
を備えたことを特徴とする遮断回路検証装置。
【請求項２】
前記第１の時間より短いオン時間Ｔ１の信号を検証信号として入力するようにし、Ｔ１より短いオン時間の信号を除去するノイズ除去部をさらに備えた
ことを特徴とする請求項１に記載の遮断回路検証装置。
【請求項３】
対象機器に電力を供給するとともに外部から遮断信号が入力された際に前記対象機器への電力の供給を停止する電源遮断回路に接続され、当該電源遮断回路の回路動作を検証する検証信号を保持する検証信号保持装置であって、
遮断信号および検証信号を外部入力信号として入力する外部信号入力端子と、
前記外部信号入力端子に入力された信号を前記電源遮断回路が応答動作を行う第１の時間より長くかつ前記電源遮断回路が遮断動作を行う第２の時間より短い時間保持して検証中保持信号として出力する信号保持部と、
前記外部入力信号と前記検証中保持信号とを入力して、オア論理により合成して、前記電源遮断回路に出力する信号合成部と
を有することを特徴とする検証信号保持装置。
【請求項４】
前記第１の時間より短いオン時間Ｔ１の信号を検証信号として入力するようにし、Ｔ１より短いオン時間の信号を除去するノイズ除去部をさらに備えた
ことを特徴とする請求項３に記載の検証信号保持装置。
【発明の詳細な説明】
【技術分野】
【０００１】
本願発明は、対象機器に対して電力を供給するとともに遮断信号が入力された際に対象機器への電力の供給を停止する電源遮断回路において、当該電源遮断回路の回路動作が正常に動作するか否かをオンラインにて検証する遮断回路検証装置に関するものであり、電源遮断回路に検証信号を送出して、そのレスポンスから回路動作を検証をする遮断回路検証装置と、この遮断回路検証装置に用いられ回路動作を検証するための検証信号を所定の時間保持する検証信号保持装置に関するものである。
【背景技術】
【０００２】
生産現場などにおいて、例えば複数の機器を連携動作させるために複数のプログラマブルコントローラが連結してなるネットワークが設置される。このようなネットワークにおいては、異常発生に伴う事故の拡大を防止するために、各プログラマブルコントローラにおいて、対象となる機器との間にフェールセーフに働く電源遮断回路が設けられている。
【０００３】
この電源遮断回路は、電源と対象機器との間に設けられて、常時は対象機器に対して電力を供給するとともに、外部から遮断信号が入力された際には、この遮断信号に基づいて対象となる機器への電力の供給を停止する。このような電源遮断回路は、異常時に正しく遮断動作するかその健全性を日頃から検証しておく必要がある。
【０００４】
従来、電源遮断回路の健全性を検証する目的で、電源遮断回路の遮断動作を検証をする遮断回路検証装置が提案されている。この遮断回路検証装置は、一般に電源遮断回路に接続されて設けられ、電源遮断回路に検証用の信号を入力して、そのレスポンスにより回路が正常であるか否かの検証をする。
【０００５】
このような遮断回路検証装置は、従来、例えば電源遮断回路に接続されたマイクロコンピュータ（以降、マイコンと称する）と、このマイコンにプログラミングされた検証用プログラムとで実現されていた。また、別の遮断回路検証装置として、電源遮断回路の駆動回路に検証に必要な点検回路を併設して、この点検回路から電源遮断回路に検証信号を出力することにより遮断動作を検証していた（例えば、特許文献１参照）。
【０００６】
【特許文献１】特開昭５７−０３６５３０号公報
【発明の開示】
【発明が解決しようとする課題】
【０００７】
しかしながら、上述のマイコンを利用して遮断回路検証装置を実現する方法においては、検証信号を出力して、その応答信号のレスポンスにより遮断動作が正常か異常かを判定する検証動作において、マイコンの負荷が大きくなった場合等、検証する側の動作が不安定となった際に、例えば応答信号の読み込みが遅延して検証信号の出力が停止せず、検証の判定を誤ったり、検証動作の最中に電源遮断回路が遮断動作をしてしまったりすることがあり、改善が求められていた。
【０００８】
一方、上述の動作点検回路を併設する方法においては、通常運転を行う通常モードと検証を行う検証モードとがあり、遮断信号と検証信号とが別の経路にて入力されていて、検証時には検証信号が入力されるよう検証モードに切り換えなければならないので、電源遮断回路を実際に稼動させながら検証を行うことは不可能であった。また、この動作点検回路を併設する方法は、実際の遮断動作を入力する経路と別の経路にて検証信号が入力されるので、検証時の挙動が実働運転の挙動と異なったり、正確な検証動作ができなかったりする課題があった。また、電源遮断回路が異常と判定された場合に動作点検回路が異常である場合も含んでしまうので信頼性に欠けるという課題もあった。
【０００９】
この発明は上述のような課題を解決するためになされたもので、不安定な検証信号でも間違いなく正確に検証動作を行うことができ、これにより誤って遮断動作をさせてしまうことがなく、また、遮断信号と同じ系統で検証のための信号を生成することができ、これにより実際の遮断動作により近づいた検証動作を実現することができる検証信号保持装置を得ることを目的とする。また、この検証信号保持装置を用いることにより適切に電源遮断回路の検証を行うことができる遮断回路検証装置を得ることを目的とする。
【課題を解決するための手段】
【００１０】
上記課題を解決するために、この発明に係る遮断回路検証装置は、対象機器に電力を供給するとともに外部から遮断信号が入力された際に対象機器への電力の供給を停止する電源遮断回路に対して、電源遮断回路の回路動作を検証信号を入力することにより検証をする遮断回路検証装置であって、遮断信号および検証信号を外部入力信号として入力する外部入力端子と、外部入力信号を、電源遮断回路が応答動作により出力する応答信号が到来するまでの第１の時間より長くかつ電源遮断回路が遮断動作を開始するまでの第２の時間より短い時間保持して検証中保持信号として出力する信号保持部と、外部入力信号と検証中保持信号とを入力して、オア論理により合成して、電源遮断回路に出力する信号合成部と、応答信号のレスポンスを待ち、所定の時間内に応答信号を受け取ったときに遮断回路が正常と判定し、所定の時間経過しても応答信号を受け取れないときに遮断回路が異常と判定する判定部とを有することを特徴とする。
【００１１】
また、この発明に係る検証信号保持装置は、対象機器に電力を供給するとともに外部から遮断信号が入力された際に対象機器への電力の供給を停止する電源遮断回路に接続され、電源遮断回路の回路動作を検証する検証信号を保持する検証信号保持装置であって、遮断信号および検証信号を外部入力信号として入力する外部信号入力端子と、外部信号入力端子に入力された信号を電源遮断回路が応答動作を行う第１の時間より長くかつ電源遮断回路が遮断動作を行う第２の時間より短い時間保持して検証中保持信号として出力する信号保持部と、外部入力信号と検証中保持信号とを入力して、オア論理により合成して、電源遮断回路に出力する信号合成部とを有することを特徴とする。
【発明の効果】
【００１２】
この発明に係る検証信号保持装置によれば、信号保持部は、外部入力信号を電源遮断回路が応答動作を行う第１の時間より長くかつ電源遮断回路が遮断動作を行う第２の時間より短い時間保持して検証中保持信号として出力し、さらに電源遮断回路が応答動作により出力する応答信号を受け付けて検証中保持信号の出力を停止するように動作する。また、信号合成部は、外部入力信号と検証中保持信号とを入力して、オア論理により合成して、電源遮断回路に出力する。これらの構成により、電源遮断回路を遮断動作させる場合には第２の時間より長いオン時間の遮断信号を入力するのに対して、電源遮断回路を検証する場合には第１の時間より短いオン時間の検証信号を入力することにより、検証信号保持装置に入力される検証信号が不安定な信号となっても、検証信号保持装置から出力される合成された信号は適切なオン時間の信号として出力されるので正確に検証動作を行うことができる。このため、検証の判定を誤ったり、検証動作中に誤って遮断動作をさせてしまったりすることがない。また、遮断信号と検証信号と同じ外部信号入力端子から入力するとともに、遮断信号が通る経路と同じ経路で検証のための信号を生成するので、実際の遮断動作により近づいた動作の検証動作を実現することができる。
【００１３】
さらに、この発明に係る遮断回路検証装置によれば、上記効果を有する検証信号保持装置を用いて装置を構成し、さらに、応答信号のレスポンスを待ち、所定の時間内に応答信号を受け取ったときに遮断回路が正常と判定し、所定の時間経過しても応答信号を受け取れないときに遮断回路が異常と判定する判定部を設けたので、適切に電源遮断回路の検証を行うことができる。
【発明を実施するための最良の形態】
【００１４】
以下、本発明に係る遮断回路検証装置及び検証信号保持装置の実施の形態を図面に基づいて詳細に説明する。なお、この実施の形態によりこの発明が限定されるものではない。
【００１５】
実施の形態．
図１は生産現場などに設けられる複数のプログラマブルコントローラが接続されてなるネットワークの全体図である。図１において、ネットワークは、リモートマスタ局９０と、このリモートマスタ局９０に伝送ケーブル９１を介して接続された複数のリモートＩ／Ｏ局（プログラマブルコントローラ）８０とから構成されている。各リモートＩ／Ｏ局８０には制御対象である電磁弁やモータ或いはセンサ等の種々の機器８１が接続されている。生産現場などにおいては、複数の機器８１を制御・監視する目的で或いは連携動作させる目的で、これらの機器８１が接続されたリモートＩ／Ｏ局（プログラマブルコントローラ）８０をネットワーク接続している。ネットワークの管理はリモートマスタ局９０が行っている。
【００１６】
図２はこの発明にかかる遮断回路検証装置および検証信号保持装置の実施の形態を説明するためのリモートＩ／Ｏ局８０内部のブロック図である。図２において、リモートＩ／Ｏ局８０は、第１のマイコン２１と、第２のマイコン２２と、検証信号保持装置２０を内蔵する遮断回路検証装置３０と、電源遮断回路４０と、ＤＣ／ＤＣコンバータ５０とを有している。なお、リモートＩ／Ｏ局８０はプログラマブルコントローラとして動作するために他にも大事な構成を有するものであるが、本願発明に関係しない構成は除いている。また、第１のマイコン２１と第２のマイコン２２とは、機能の説明上分けて示しているが１つのマイコンにより構成されてもよい。
【００１７】
検証信号保持装置２０は、信号保持部を構成するラッチ回路１１と、信号合成部を構成するオア論理素子１２と、一方向素子１３とから構成されている。一方、遮断回路検証装置３０は、この検証信号保持装置２０に判定部を構成する第２のマイコン２２が付け加えられた構成となっている。図２において、検証信号保持装置２０は、外部入力端子ｔ１から入力された検証信号を所定の時間だけ保持して出力する。また、この信号の出力中に応答信号入力端子ｔ３から信号が入力されると保持していた信号の出力を停止する。
【００１８】
検証信号保持装置２０は、外部入力端子ｔ１を介して信号生成部を構成する第１のマイコン２１に接続されている。また、検証信号保持装置２０は、合成信号出力端子ｔ２および応答信号入力端子ｔ３を介して検証対象である電源遮断回路４０に接続されている。検証信号保持装置２０は、さらに応答信号出力端子ｔ４を介して第２のマイコン２２に接続されている。第１のマイコン２１と第２のマイコン２２とは、第１のマイコン２１が発行する検証信号のタイミングを第２のマイコン２２に伝える目的で接続されている。
【００１９】
電源遮断回路４０には、直流２４Ｖ電源とＤＣ／ＤＣコンバータ５０とが接続されており、電源遮断回路４０は直流２４Ｖ電源から得た電力をＤＣ／ＤＣコンバータ５０および制御回路を介して種々の機器（制御対象）８１に供給する。ＤＣ／ＤＣコンバータ５０は電源遮断回路４０から供給された直流２４Ｖを直流５Ｖに落として種々の機器８１に供給する。これらの各装置、すなわち、第１のマイコン２１、第２のマイコン２２、検証信号保持装置２０、遮断回路検証装置３０、電源遮断回路４０およびＤＣ／ＤＣコンバータ５０は、リモートＩ／Ｏ局（プログラマブルコントローラ）８０の１つのユニット内に納められている。
【００２０】
次に、回路系統を説明する。検証信号保持装置２０において、外部入力端子ｔ１からの入力は分岐点ｔ５により分岐している。分岐したうちの一方はオア論理素子１２の一側の入力端子に入力され、他方はラッチ回路１１のセット端子（ＳＥＴ）に入力されている。そして、ラッチ回路１１のアウトプット端子（ＯＵＴＰＵＴ）からの出力がオア論理素子１２の他側の入力端子に入力されている。オア論理素子１２の出力（合成信号）は合成信号出力端子ｔ２を介して電源遮断回路４０に入力されている。
【００２１】
一方、電源遮断回路４０の出力（応答信号）は、応答信号入力端子ｔ３を介して検証信号保持装置２０に入力され、一方向素子１３を経由した後、分岐点ｔ６により分岐している。そして、分岐したうちの一方はラッチ回路１１のクリア端子（ＣＬＲ）に入力されている。他方は応答信号出力端子ｔ４を介して第２のマイコン２２（判定部）に入力されている。
【００２２】
ラッチ回路１１は、セット端子（ＳＥＴ）に信号を入力されると、この信号を所定の時間だけ保持してアウトプット端子（ＯＵＴＰＵＴ）から出力する。また、ラッチ回路１１は、アウトプット端子（ＯＵＴＰＵＴ）から信号を出力している途中で、クリア端子（ＣＬＲ）に信号を入力されると、アウトプット端子（ＯＵＴＰＵＴ）からの出力を停止する。オア論理素子１２は、２つの入力信号をオア論理により合成して出力する。
【００２３】
図３は遮断回路検証装置および検証信号保持装置が入出力する信号の概略を示すタイミングチャートである。図３において、信号生成部を構成する第１のマイコン２１は、電源遮断回路５０に対して検証動作をさせるときには、オン時間の短いパルス状の検証信号（オン時間Ｔ１）を発行する。検証信号保持装置２０のラッチ回路１１は、入力したＴ１の長さの検証信号を所定の時間（Ｔ２）だけ保持して検証中保持信号として出力する。また、第１のマイコン２１は、電源遮断回路５０に対して遮断動作をさせるときには、十分にオン時間の長い遮断信号を発行する。
【００２４】
図４は遮断動作の検証に関連する各信号の変化の詳細および出力電圧の変化を示すタイミングチャートである。図４において、各信号は以下の通りである。
（１）検証信号：電源遮断回路４０の検証が行われる際、第１のマイコン２１から発せられて遮断回路検証装置３０が外部入力端子ｔ１から入力するオン時間がＴ１のパルス状の検証信号である。
（２）検証中保持信号：検証信号を入力した遮断回路検証装置３０のラッチ回路１１が検証信号の立ち上がりをラッチしてＴ２の時間だけオンの状態に保持して電源遮断回路４０に出力する検証中保持信号である。
（３）電源遮断回路の出力電圧（ＤＣ／ＤＣコンバータの入力電圧）：電源遮断回路４０がＤＣ／ＤＣコンバータ５０に出力する出力電圧であり、電源遮断回路４０が検証中保持信号を入力した結果下がり始め、その後、検証中保持信号が無くなることにより再び上昇する様子を各信号とタイミングを合わせて示すものである。
（４）電圧低下検出信号（応答信号）：電源遮断回路４０においてＤＣ／ＤＣコンバータ５０への出力電圧が所定の検出電圧以下となったとき、電源遮断回路４０から遮断回路検証装置３０に対して発せられる電圧低下検出信号（応答信号）である。
（５）遮断信号：電源遮断回路４０に実際に遮断動作を行わせる際、第１のマイコン２１から発せられて遮断回路検証装置３０を介して電源遮断回路４０に出力される遮断信号であり、（１）に示す検証信号に対して十分に長いオン時間を有する。ここでは、この検証信号と比較するために示している。
【００２５】
図４に沿って電源遮断回路４０の検証動作を説明する。電源遮断回路４０の検証動作が行われる際、まず、信号生成部である第１のマイコン２１が、検証信号をＴ１の長さのパルス状信号にて遮断回路検証装置３０に向けて出力する。遮断回路検証装置３０は、この検証信号を外部入力端子ｔ１から入力する。検証信号は、後述するラッチ回路１１の保持時間Ｔ２より短い。なお、検証信号発行のタイミングは、第１のマイコン２１から第２のマイコン２２に通知される。
【００２６】
外部入力端子ｔ１から入力された検証信号は、分岐点ｔ５により分岐してラッチ回路１１とオア論理素子１２に入力される。ラッチ回路１１は、この検証信号を予め定められた所定の時間Ｔ２だけ保持して検証中保持信号として出力する。詳細には、ラッチ回路１１は、Ｔ１の長さの検証信号を、電源遮断回路４０が応答動作により出力する応答信号が到来するまでの第１の時間ＴＲより長くかつ電源遮断回路４０が遮断動作を開始するまでの第２の時間ＴＢより短い時間Ｔ２だけ保持して検証中保持信号として出力する。
【００２７】
オア論理素子１２は、ラッチ回路１１の出力する検証中保持信号と分岐点ｔ５にて分岐した検証信号とをオア論理により合成し合成信号として電源遮断回路４０に向けて出力する。このとき、検証信号は、検証信号保持信号の長さＴ２より短い長さの長さＴ１として入力されているので、合成信号がＴ２より長くなってしまうことがない。
【００２８】
合成信号（検証中保持信号）を入力した電源遮断回路４０は、これに反応して出力電圧（ＤＣ／ＤＣコンバータ５０の入力電圧）を徐々に下げ始める。このＤＣ／ＤＣコンバータ５０への出力電圧は、電源遮断回路４０は内部にて常に監視されており、電源遮断回路４０は、出力電圧が予め設定された検出電圧を下回ると遮断回路検証装置３０に向けて電圧低下検出信号（応答信号）を出力する。
【００２９】
この応答信号を入力したラッチ回路１１は、検証中保持信号の出力を停止する。これにより、電源遮断回路４０に出力されていた合成信号の出力が無くなる。合成信号（検証中保持信号）が無くなることにより、電源遮断回路４０は出力電圧を再び上昇させる。
【００３０】
電源遮断回路４０の電圧低下検出信号（応答信号）は、応答信号出力端子ｔ４を介して第２のマイコン２２（判定部）にも入力されている。第２のマイコン２２は、この応答信号のレスポンスに基づいて、電源遮断回路４０の異常の有無を判定する。すなわち、所定の時間内に応答信号を受け取ったときには電源遮断回路４０を正常と判定し、所定の時間経過しても応答信号を受け取れないときには電源遮断回路４０を異常と判定する。なお、第２のマイコン２２は第１のマイコン２１から検証信号発行のタイミングを知らされているので判定が可能である。
【００３１】
電源遮断回路４０の検証動作をするのではなく、実際に電源遮断回路４０に遮断動作をさせる場合には、図３の（５）に示すように十分に長いオン時間の遮断信号を入力する。遮断信号は、検証信号保持信号の長さＴ２より十分に長いものが入力されることで、オア論理素子１２にて合成されることにより短くなってしまうことがなくなる。さらに遮断信号は、電源遮断回路４０からの応答信号が到来するまでの第１の時間ＴＲよりも長い信号として入力されるので、ラッチ回路１１が応答信号により動作して検証信号保持信号の出力を停止しても合成信号が短くなることはない。つまり、遮断信号はオア論理素子１２の動作によって応答信号の如何にかかわらず入力時の長さだけオン状態に保たれる。これにより、電源遮断回路４０は、図３の（３）に点線で示すように途中で反転することなく出力電圧の低下を進ませ、やがて電圧がＤＣ／ＤＣコンバータ５０の動作可能電圧を下回り電源遮断の動作となる。
【００３２】
以上のように、本実施の形態の検証信号保持装置２０および遮断回路検証装置３０においては、ラッチ回路（信号保持部）１１が検証信号を電源遮断回路４０が応答動作を行う第１の時間ＴＲより長くかつ電源遮断回路４０が遮断動作を行う第２の時間ＴＢより短い時間保持して検証中保持信号として出力し、さらにラッチ回路（信号保持部）１１は電源遮断回路４０が応答動作により出力する応答信号を受け付けて検証中保持信号の出力を停止するように動作する。また、オア論理素子（信号合成部）１２は、外部からの検証信号と検証中保持信号とを入力して、オア論理により合成して、電源遮断回路４０に出力する。これらの構成により、各出力信号が正確に管理されるので、検証信号保持装置３０に入力される検証信号が不安定な信号となっても正確に検証動作を行うことができる。この結果、検証の判定を誤ったり、検証動作中に誤って遮断動作をさせてしまったりすることがなくなる。
【００３３】
また、本実施の形態の検証信号保持装置２０および遮断回路検証装置３０においては、遮断信号と検証信号が入力される外部入力端子ｔ１を有している。そして、外部入力端子ｔ１から入力された信号は、分岐点ｔ５にて２つに分岐され一方は、ラッチ回路１１にてＴ２の時間だけ保持され、検証信号保持信号として出力され、分岐した他方の信号と合成されて出力される。このように遮断信号と検証信号とが全く同じ経路を通るので、検証装置が故障している場合を考慮する必要がなく、信頼性が向上する。
【００３４】
また、本実施の形態の検証信号保持装置２０および遮断回路検証装置３０においては、従来技術のように通常運転と検証動作のモードの区別がない。検証モードに切り替える必要がないので通常運転のままで随時検証信号を発行することができる。定期的に検証を行いたい場合も容易である。また、万が一検証動作中に遮断要求が発生しても通常運転に切り替える必要がないので即座に対応することができる。
【００３５】
なお、本実施の形態の検証信号保持装置２０および遮断回路検証装置３０においては、検証信号のオン時間であるＴ１より短いオン時間の信号をノイズとして除去するフィルタ部（ノイズ除去部）をさらに設けてもよい。このフィルタ部は、例えば外部入力端子ｔ１と分岐点ｔ５との間に設ける。このように構成するにより、例えば外部からの影響により、検証信号と誤認識されてしまうようなノイズ信号が発生するときや、第１のマイコン２１の誤動作により検証信号にチャタリングが発生するときなどに、これらを検証信号や遮断信号として誤って認識してしまわないようにすることができる。
【００３６】
ノイズ除去の原理は、例えば検証信号のパルス幅Ｔ１にてカウントを行い、ノイズ成分は高周波であるためオンとなる時間が検証信号と比較して十分に短く、カウント値が１となる前にオフとなるので、カウンタ値が所定の値に達しないことを利用して、このような信号をノイズであるとみなすことで実現する。
【産業上の利用可能性】
【００３７】
この発明にかかる遮断回路検証装置および検証信号保持装置は、装置に電力を供給するとともに外部から遮断信号が入力された際に当該装置への電力の供給を停止する電源遮断回路に対して、この電源遮断回路の回路動作を、検証信号を入力することにより検証をする遮断回路検証装置に適用されて好適なものであり、特に、オンラインにて電源遮断回路の検証動作を行う遮断回路検証装置に適用されて最適なものである。
【図面の簡単な説明】
【００３８】
【図１】複数のプログラマブルコントローラが接続されてなるネットワークの全体図である。
【図２】この発明にかかる遮断回路検証装置および検証信号保持装置の実施の形態を説明するためのブロック図である。
【図３】遮断回路検証装置および検証信号保持装置が入出力する信号の概略を示すタイミングチャートである。
【図４】遮断動作の検証に関連する各信号の変化の詳細および出力電圧の変化を示すタイミングチャートである。
【符号の説明】
【００３９】
１１  ラッチ回路（信号保持部）
１２  オア論理素子（信号合成部）
１３  一方向素子
１４  変化吸収回路（変化吸収部）
２０  検証信号保持装置
２１  第１のマイコン（信号生成部）
２２  第２のマイコン（判定部）
３０  遮断回路検証装置
４０  電源遮断回路
５０  ＤＣ／ＤＣコンバータ
８０  リモートＩ／Ｏ局（プログラマブルコントローラ）
８１  種々の機器
９０  リモートマスタ局
９１  伝送ケーブル
Ｔ１  パルス状の検証信号のオン時間
Ｔ２  ラッチ回路が検証信号保持信号を保持する時間
ＴＲ  第１の時間（電源遮断回路の応答動作による応答信号が到来するまでの時間）
ＴＢ  第２の時間（電源遮断回路が遮断動作を開始するまでの時間）
【図１】
2008077597.tif 000003
【図２】
2008077597.tif 000004
【図３】
2008077597.tif 000005
【図４】
2008077597.tif 000006